(57)【特許請求の範囲】
【請求項１】
画像表示装置から放射され該画像表示装置が表示している画像を伴った画像光を、搬送手段によって搬送されている感光材料に照射し、上記画像を上記感光材料に焼き付けるようになっている焼付装置において、
上記画像表示装置が、複数の画像を、それぞれ、該画像表示装置の異なる領域に同時に表示するとともに、各画像ごとに該画像を伴った各別の画像光を上記感光材料に同時に放射するようになっていて、
上記各別の画像光をそれぞれ異なる光路を経由して上記感光材料に案内し、感光材料搬送方向にみて上記感光材料上の互いに異なる露光領域に照射する画像光案内手段が設けられていることを特徴とする焼付装置。
【請求項２】
画像表示装置から放射され該画像表示装置が表示している画像を伴った画像光を、搬送手段によって搬送されている感光材料に照射し、上記画像を上記感光材料に焼き付けるようになっている焼付装置において、
上記画像表示装置が複数の画像を表示するとともに、各画像ごとに該画像を伴った各別の画像光を放射するようになっている一方、上記搬送手段が上記各別の画像光と同数の感光材料を併行して搬送するようになっていて、
上記各別の画像光を、それぞれ、異なる光路を経由して上記感光材料に案内し、各別の感光材料に照射する画像光案内手段が設けられていることを特徴とする焼付装置。
【請求項３】
画像表示装置から放射され該画像表示装置が表示している画像を伴った画像光を、搬送手段によって搬送されている感光材料に照射し、上記画像を上記感光材料に焼き付けるようになっている焼付装置において、
上記画像表示装置が、複数の画像を、それぞれ、該画像表示装置の異なる領域に同時に表示するとともに、各画像ごとに該画像を伴った各別の画像光を上記感光材料に同時に放射するようになっていて、
上記各別の画像光をそれぞれ異なる光路を経由して上記感光材料に案内し、上記感光材料上のほぼ同一の露光領域に照射する画像光案内手段が設けられていることを特徴とする焼付装置。
【請求項４】
上記画像光案内手段が、各画像を構成する各画素がそれ以外の画像の画素間空白部に位置するように、各画像光を感光材料搬送方向に画素ピッチの範囲内で互いにずらせて照射するようになっていることを特徴とする請求項１又は３に記載の焼付装置。
【請求項５】
上記画像表示装置が反射型の画像表示装置であることを特徴とする請求項１〜４のいずれか１つに記載の焼付装置。
【請求項６】
上記画像表示装置が、それぞれ反射方向を切り替えることができる複数のマイクロミラーを備えていて、各マイクロミラーの反射方向をそれぞれ上記画像に対応するように切り替えることにより該画像を表示するデジタルマイクロミラー装置であることを特徴とする請求項５に記載の焼付装置。
【請求項７】
上記画像表示装置が、反射型の液晶ディスプレイであることを特徴とする請求項５に記載の焼付装置。
【発明の詳細な説明】
【０００１】
【発明の属する技術分野】
本発明は、焼付装置に関するものであって、とくにデジタルマイクロミラー装置、反射型ＬＣＤ（液晶ディスプレイ）等のデジタル式の画像表示装置が表示している画像を、高解像度ないしは高処理能力でもって感光材料に焼き付けることができるようにした焼付装置に関するものである。
【０００２】
【従来の技術】
画像を表示しているデジタル式の画像表示装置（例えば、デジタルマイクロミラー装置等）から放射された、該画像を伴っている光（以下、これを「画像光」という）を、搬送手段によって搬送されている感光材料（例えば、印画紙等）に照射して、該画像を感光材料に焼き付けるようにした焼付装置は従来より知られている。
【０００３】
かかる焼付装置においては、普通、画像表示装置から放射された画像光に含まれる画像が、焼付レンズによって引き延ばされて感光材料表面に結像され、この画像が感光材料に焼き付けられる。その際、微視的にみれば、画像表示装置上の画像の各画素が、それぞれ個別的に感光材料に焼き付けられるので、感光材料に焼き付けられる画像（以下、これを「焼付画像」という）は、画像表示装置上の各画像表示素子（各画素）と１対１に対応する多数の画素で構成されることになる。
【０００４】
このように、画像表示装置が表示している画像を感光材料に焼き付けるようにした焼付装置においては、前記のとおり、焼付画像が多数の感光材料上の画素で構成されるので、該焼付画像の解像度すなわち画質は、実質的に感光材料上の画素密度によって決定される。したがって、焼付画像の画質は、結局は画像表示装置において実際に使用されている画像表示素子（画素）の数によって決定されることになる。
【０００５】
このような画像表示装置を用いた従来の焼付装置の多くは、画像表示装置の一部の画像表示素子領域に形成された部分的な画像を、ライン露光あるいは面露光により、感光材料幅方向の寸法が感光材料幅とほぼ等しく感光材料搬送方向の寸法が比較的短い帯状ないしはライン状の露光領域に照射するといった操作を順次繰り返し、１枚（１フレーム）の画像（全体画像）を感光材料に焼き付けるようになっている。
【０００６】
【発明が解決しようとする課題】
しかしながら、かかる従来の焼付装置では、実際には画像表示装置の（ほんの）一部の画像表示素子領域しか使用されないので、大部分の画像表示素子は遊休状態（無駄）となり、該画像表示装置を効率的に使用することができないといった問題がある。また、焼付画像の解像度が比較的低く、とくに幅の広い感光材料を用いる場合は解像度が非常に悪くなるといった問題がある。さらには、焼付処理能力が比較的低いといった問題もある。
【０００７】
ところで、特開平４−３３３０１５号公報には、デジタルマイクロミラー装置の２つの画像表示素子領域にそれぞれ部分的な画像を形成し、各画像を異なる光路でスクリーンに導き、両画像をスクリーン幅方向につなぎ合わせてスクリーン上に結像させるようにした光学装置が開示されている。したがって、この特開平４−３３３０１５号公報に開示されている技術を焼付装置に応用すれば、該焼付装置の画像表示装置を効率的に使用することができ、かつ焼付画像の感光材料幅方向の解像度を高め、あるいは解像度を低下させることなく幅の広い感光材料に画像を焼き付けることができるものとも考えられる。
【０００８】
しかしながら、たとえ特開平４−３３３０１５号公報に開示されている技術を焼付装置に応用したとしても、該焼付装置では焼付画像の感光材料搬送方向の解像度は高めることはできないといった問題がある。さらに、焼付装置の処理能力は高めることができないといった問題もある。
【０００９】
本発明は、上記従来の問題を解決するためになされたものであって、幅の広い感光材料を用いる場合でも画像表示装置が表示する画像を高解像度でもって感光材料に焼き付けることができ、ないしは処理能力を高めることができる焼付装置を提供することを解決すべき課題とする。
【００１０】
【課題を解決するための手段】
上記の課題を解決するためになされた本発明にかかる焼付装置は、（ａ）画像表示装置から放射され該画像表示装置が表示している画像を伴った画像光を、搬送手段によって搬送されている感光材料（例えば、印画紙）に照射し、該画像を感光材料に焼き付けるようになっている焼付装置において、（ｂ）画像表示装置が、複数の画像を、それぞれ、該画像表示装置の異なる領域に同時に表示するとともに、各画像ごとに該画像を伴った各別の画像光を感光材料に同時に放射するようになっていて、（ｃ）各別の画像光をそれぞれ異なる光路を経由して感光材料に案内し、感光材料搬送方向にみて感光材料上の互いに異なる露光領域に照射する画像光案内手段が設けられていることを特徴とするものである。
なお、画像光案内手段が、各別の画像光を、感光材料搬送方向にみて異なる露光領域ではなく、感光材料上のほぼ同一の露光領域に（重ねて）照射するようになっていてもよい。
【００１１】
この焼付装置においては、画像表示装置が複数の画像を、画像表示装置の異なる領域に同時に表示するようになっているので、画像表示装置の画像表示素子の使用率（実際に使用される画像表示素子の割合）が高められ、該画像表示装置が効率的に使用される（無駄が少なくなる）。また、感光材料搬送方向にみて感光材料の複数の異なる露光領域に（あるいは、ほぼ同一の露光領域に重ねて）同時に焼付処理（露光処理）を施すことができるので、該焼付装置の処理能力が高まる。
【００１２】
上記焼付装置においては、画像光案内手段が、各画像を構成する各画素がそれ以外の画像の画素間空白部に位置するように、各画像光を感光材料搬送方向に画素ピッチの範囲内で互いにずらせて照射する（すなわち、画素ずらしを行う）ようになっているのが好ましい。このようにすれば、感光材料搬送方向における焼付画像の画素密度が高くなるので、該焼付画像の解像度が大幅に高められる。
【００１３】
上記焼付装置においては、搬送手段が各別の画像光と同数の感光材料を併行して搬送するようになっていて、画像光案内手段が、各別の画像光を、それぞれ、異なる光路を経由して感光材料に案内し、各別の感光材料に照射するようになっていてもよい。このようにすれば、焼付画像の感光材料幅方向の解像度を高めることができ、あるいは解像度を低下させることなく幅の広い感光材料に焼付処理を施すことができる。
【００１４】
また、搬送手段が、各別の画像光と同数の感光材料を併行して搬送するようになっているので、画像光案内手段は、各画像光を各別の感光材料に照射することができる。このようにすれば、複数の画像を各別の感光材料に同時に併行的に焼き付けることができるので、該焼付装置の処理能力が大幅に高められる。
【００１５】
上記焼付装置において、画像表示装置としては、反射型あるいは透過型の各種のデジタル式画像表示装置、例えば、デジタルマイクロミラー装置（ＤＭＤ）、反射型ＬＣＤ（液晶ディスプレイ）、透過型ＬＣＤ、透過型ＰＬＺＴパネル、ＣＲＴ等を用いることができるが、反射型の画像表示装置を用いるのがとくに好ましい。なお、デジタルマイクロミラー装置とは、それぞれ反射方向を切り替えることができる複数のマイクロミラーを備えていて、各マイクロミラーの反射方向をそれぞれ画像に対応するように切り替えることにより該画像を表示することができる反射型の画像表示装置であって、本発明にかかる焼付装置の画像表示装置として用いるのにとくに適したものである。
【００１６】
上記焼付装置において、感光材料の露光方式としては、ライン露光及び面露光を用いることができる。
ここで、ライン露光とは、搬送手段により感光材料を連続的に移動させつつ、感光材料搬送方向と垂直な方向（感光材料幅方向）に長手となる帯状ないしはライン状の露光領域毎に順次露光処理を施すようにした露光方式である。なお、かかるライン露光としては、１ライン（１行）ずつ露光を行う露光方式と、画像表示装置の画像を、感光材料搬送方向に感光材料の移動と同期するようにスクロールさせつつ複数ライン（複数行）にわたって同時に露光を行う露光方式のいずれをも用いることができる。
また、面露光とは、搬送手段により感光材料を間欠的に移動させつつ、感光材料移動停止時に面状の露光処理領域（例えば、１フレーム分の露光領域）に露光処理を施すようにした露光方式である。
【００１７】
【発明の実施の形態】
以下、画像表示装置としてデジタルマイクロミラー装置（ＤＭＤ）を用い、ライン露光により露光処理ないしは焼付処理を施すようにした焼付装置を例にとって、本発明の実施の形態を具体的に説明する。
図１に示すように、本発明にかかる焼付装置１は、実質的に、露光焼付処理部２と現像処理部３と乾燥処理部４とで構成されている。そして、露光焼付処理部２においては、ペーパーマガジン５内のペーパーローラー６に巻かれている印画紙７（感光材料）が、ペーパーマガジン５から引き出された後、搬送ローラー１３等を備えた印画紙搬送機構（搬送手段）によって、矢印Ａ1及び矢印Ａ2で示す方向に搬送されるようになっている。
【００１８】
また、露光焼付処理部２においては、光源ランプ８（例えば、ハロゲンランプ）から放射された光Ｌ1（白色光）が、回転式のカラーホイル９のＢ（ブルー）、Ｇ（グリーン）又はＲ（レッド）のいずれかのカラーフィルタ（図示せず）を透過し、これによりＢ、Ｇ又はＲの単色光Ｌ1となってデジタルマイクロミラー装置１０に入射される。ここで、カラーホイル９は、露光処理の速度に応じてカラーフィルタの切り替えタイミングとの同期をとりながら連続的に回転して、光を透過させるべきカラーフィルタを順次切り替えるようになっている。つまり、原光Ｌ1の色は、一定時間毎に、Ｒ、Ｇ、Ｂの順で繰り返し切り替わる。
なお、カラーホイル９を、前記のような連続回転でなく、露光処理の速度に応じて一定時間毎に間欠的に回転させて、光を透過させるべきカラーフィルタを順次切り替えるようにしてもよい。
【００１９】
そして、デジタルマイクロミラー装置１０の反射光であり、該デジタルマイクロミラー装置１０が表示している画像を伴った画像光Ｌ2は、焼付レンズ１１によって画像光Ｌ3に引き延ばされ、この引き延ばされた画像光Ｌ3が印画紙７に照射され、印画紙７に対して露光処理が施される。かくして、デジタルマイクロミラー装置１０が表示する画像が、焼付レンズ１１によって引き延ばされて印画紙７上に結像され、該画像が印画紙７に焼き付けられる。なお、かかる露光処理ないしは焼付処理は、Ｂ、Ｇ及びＲの３つの単色光について重複して行われる。すなわち、印画紙７の同一の露光領域に、Ｂ、Ｇ及びＲの画像が重ねて焼き付けられる。
【００２０】
このように画像が焼き付けられた印画紙７は、搬送ローラー１３等を備えた印画紙搬送機構によって、露光焼付処理部２から現像処理部３に搬送される。そして、印画紙７は、現像処理部３に設けられた現像処理液槽１２内を蛇行しつつおおむね矢印Ａ3方向に移動し、現像処理液によって現像される。この後、現像された印画紙７は、印画紙搬送機構によって現像処理部３から乾燥処理部４に搬送され、この乾燥処理部４内を矢印Ａ4方向に移動しつつ乾燥され、該画像焼付装置１から取り出される。
【００２１】
以下、反射型のデジタル式画像表示装置であるデジタルマイクロミラー装置１０の具体的な構成及び機能を説明する。
図２（ａ）に示すように、デジタルマイクロミラー装置１０は、広がり面が略長方形をなす板状の外形を有し、平面視ではそのハウジングをなす枠部１４内に略長方形のマイクロミラー部１５が配置された構造とされている。そして、図２（ｂ）に示すように、マイクロミラー部１５は、多数（図２（ｂ）では６個のみ図示）のマイクロミラー１６が碁盤目状に配列された構造とされている。平面視においては、各マイクロミラー１６は、横方向（印画紙幅方向に対応する）の寸法Ｄ1及び縦方向（印画紙搬送方向に対応する）の寸法Ｈ1がともにおおむね１６μｍ程度である略正方形をなし、横方向の間隔Ｄ2及び縦方向の間隔Ｈ2がともにおおむね１μｍ程度となるように配列されている。このデジタルマイクロミラー装置１０（ＳＸＧＡ規格）においては、マイクロミラー１６は、横方向には１２８０個配列され（１２８０画素）、縦方向には１０２４個配列されている（１０２４画素）。なお、各マイクロミラー１６は、それぞれ、１つの画素に対応する。
【００２２】
図２（ｃ）に示すように、各マイクロミラー１６（１６ａ、１６ｂ）は、それぞれ、ミラープレート１７が、支柱１９を介してヨーク１８により支持された構造とされている。そして、詳しくは図示していないが、ヨーク１８は連結構造を介して基板２０上に回動可能に連結されている。ここで、各ヨーク１８の下方において基板２０上に配置されたメモリ素子（図示せず）が通電されたときには、例えば図２（ｃ）中の左側のマイクロミラー１６ａにその状態が示されているように、メモリ素子の静電作用によってヨーク１８はその左端部が基板２０に当接するまで回動して傾斜する。この状態において、ミラープレート１７の法線Ｓ1は鉛直線Ｓ0に対して所定の角度θだけ左側に傾く（＋θ）。すなわち、ミラープレート１７の反射面（広がり面）が、θだけ左側に傾く（以下、マイクロミラーのこの状態を「オン」という）。このとき、該マイクロミラー１６ａの反射光は、焼付レンズ１１ひいては印画紙７に照射される。
【００２３】
他方、メモリ素子が通電されないときには、例えば図２（ｃ）中の右側のマイクロミラー１６ｂにその状態が示されているように、メモリ素子の静電作用によってヨーク１８は、その右端部が基板２０に当接するまで回動して傾斜する。この状態においては、ミラープレート１７の法線Ｓ2は鉛直線Ｓ0に対して所定の角度θだけ右側に傾く（−θ）。すなわち、ミラープレート１７の反射面が、θだけ右側に傾く（以下、マイクロミラーのこの状態を「オフ」という）。このとき、該マイクロミラー１６ｂの反射光は、焼付レンズ１１（印画紙７）には照射されず、光吸収板（図示せず）によって吸収される。
【００２４】
かくして、デジタルマイクロミラー装置１０は、任意の画像に対応するデジタル形式の画像データに基づいて、各マイクロミラー１６のオン・オフ状態を、該画像に対応するように切り替える（セットする）。つまり、デジタルマイクロミラー装置１０のマイクロミラー部１５は、各マイクロミラー１６を１画素（１ピクセル）とする画像を表示する。ここで、各マイクロミラー１６のオン・オフの切り替えに要する時間は、およそ１０マイクロ秒である。
【００２５】
ところで、この焼付装置１の露光系においては、デジタルマイクロミラー装置１０が２つの画像を表示するとともに、各画像ごとに該画像を伴った各別の画像光を放射し、これらの２つの画像光をそれぞれ異なる光路を経由して印画紙７に案内し、印画紙７上の所定の露光領域に照射するようになっているが、以下この露光系のより具体的な構成及び機能を説明する。
【００２６】
従来の焼付装置の露光系でも、基本的には本発明にかかる焼付装置１の場合と同様に、光源ランプ８から放射された原光をカラーホイル９に通すことによりＢ、Ｇ、Ｒの各色の単色光Ｌ1に調整した上で、この単色光Ｌ1を（１２８０×１０２４）画素のデジタルマイクロミラー装置１０（ＳＸＧＡ）に導入するようにしている。
【００２７】
しかしながら、図３（ａ）に示すように、従来の焼付装置では、デジタルマイクロミラー装置１０のマイクロミラー部１５の、例えば（１２８０（横）×２７２（縦））個のマイクロミラー１６（画像表示素子、画素）で構成される１つの画像表示領域２１のみを用い、この画像表示領域２１から放射（反射）された画像光を印画紙７に照射するようにしている。したがって、マイクロミラー１６は縦方向（印画紙搬送方向に対応する）には全部で１０２４行あるものの、実際にはこのうちの２７２行しか使用されないので、該デジタルマイクロミラー装置１０が効率的に使用されないといった問題があった。
【００２８】
そこで、図３（ｂ）に示すように、本発明にかかる焼付装置１の露光系では、それぞれ（１２８０×２７２）個のマイクロミラー１６で構成される第１及び第２の２つの画像表示領域２１ａ、２１ｂを設け、両画像表示領域２１ａ、２１ｂから放射（反射）された画像光を、それぞれ同時に、一定速度で連続的に搬送されている印画紙７の所定の露光領域にライン露光で照射するようにしている。このように、１０２４行のマイクロミラー１６のうち５４４行が実際に使用されるので、デジタルマイクロミラー装置１０が効率的に使用されることになる。なお、３つ以上の画像表示領域を設けてもよいのはもちろんである。
【００２９】
具体的には、例えば図４（ａ）、（ｂ）に示すように、第１画像表示領域２１ａから放射（反射）され第１画像を伴っている画像光Ｌ2aは、焼付レンズ１１を経由して画像光Ｌ3aとなり、この後印画紙７の第１露光領域２２ａに照射される。他方、第２画像表示領域２１ｂから放射（反射）され第２画像を伴っている画像光Ｌ2bは、焼付レンズ１１を経由して画像光Ｌ3bとなり、この後印画紙７の第２露光領域２２ｂに照射される。なお、印画紙７はＸ方向に移動する。
図５に示すように、この場合は、第１露光領域２２ａと第２露光領域２２ｂとは、印画紙搬送方向（Ｘ方向）にやや離間した位置に配置される。
【００３０】
この場合、第１露光領域２２ａないし第２露光領域２２ｂと同一形状を有する印画紙７のある特定の焼付部（以下、これを「特定焼付部」という）に着目すれば、印画紙７はＸ方向に連続的に搬送されているので、該特定焼付部はまず第２露光領域２２ｂで第２画像が焼き付けられ、この後第１露光領域２２ａで第１画像が焼き付けられる。つまり、印画紙７の特定焼付部は２度重ねて露光されることになる。ここで、印画紙７の特定焼付部に焼き付けられる第１画像と第２画像とを同一のコンテンツ（画像内容）とし、かつ両画像が完全に重なり合うように両露光領域２２ａ、２２ｂないしは画像データを設定すれば、特定焼付部は、結局同一画像が２度焼き付けられるのと等しくなる。このため、特定焼付部では従来の焼付装置に比べて光量が２倍に増えたのと同様の作用・効果が生じる。したがって、光源ランプ８のランプ容量（出力）が従来と同様であれば、処理速度をほぼ２倍に高めることができ、該焼付装置１の処理能力がほぼ２倍に増えることになる。あるいは、処理能力を従来と同様にすれば、光源ランプ８のランプ容量を１／２に低減することができる。
【００３１】
また、第１画像及び第２画像においては、各画素間に、画素とほぼ同一の（あるいはこれより大きい）サイズの画素間空白部（スペース）が存在する。このため、第１画像と第２画像とが印画紙搬送方向（Ｘ方向）に画素ピッチの１／２だけずれる（半ドットだけずれる）ように両露光領域２２ａ、２２ｂを設定すれば、第１画像の各画素が第２画像の画素間空白部に配置され、ないしは第２画像の各画素が第１画像の画素間空白部に配置されるといった現象、いわゆる「画素ずらし」を生じさせることができる。このような画素ずらしを行えば、印画紙搬送方向の焼付画像の画素密度がほぼ２倍となり、したがって解像度がほぼ２倍に高められる。なお、第１画像と第２画像とが画素ピッチの１／２だけずれるように両露光領域２２ａ、２２ｂを設定するには、光路上にミラー等を挿入して画像光の光路をずらせ、あるいは印画紙７を画素ピッチの１／２だけずれるように搬送すればよい。
【００３２】
前記の実施の形態では、第１露光領域２２ａと第２露光領域２２ｂとが、印画紙搬送方向（Ｘ方向）にやや離間した位置に配置されているが、印画紙搬送方向にみて両露光領域２２ａ、２２ｂをほぼ同一の位置に配置し、これらがほぼ重なり合うようにしても、同様の作用・効果が得られる。なお、この場合も、第１画像と第２画像とが印画紙搬送方向（Ｘ方向）に画素ピッチの１／２だけずれるように両露光領域２２ａ、２２ｂないしは画像データを設定すれば、画素ずらしにより、印画紙搬送方向の焼付画像の画素密度がほぼ２倍となり、解像度がほぼ２倍に高められる。
【００３３】
前記の実施の形態では、第１露光領域２２ａと第２露光領域２２ｂとは印画紙幅方向にはずれていないが、両露光領域２２ａ、２２ｂを印画紙幅方向にずらせるようにしてもよい。
この場合は、例えば図６（ａ）、（ｂ）に示すように、第１画像表示領域２１ａから放射（反射）され第１画像を伴っている画像光Ｌ2aは、焼付レンズ１１を経由して画像光Ｌ3aとなり、それぞれ印画紙広がり面に対して傾斜している第１下側ミラー２４ａ及び第１上側ミラー２５ａによって反射され、この後印画紙７の第１露光領域２２ａに照射される。他方、第２画像表示領域２１ｂから放射（反射）され第２画像を伴っている画像光Ｌ2bは、焼付レンズ１１を経由して画像光Ｌ3bとなり、それぞれ印画紙広がり面に対して傾斜している第２下側ミラー２４ｂ及び第２上側ミラー２５ｂによって反射され、この後印画紙７の第２露光領域２２ｂに照射される。
【００３４】
図７（ａ）に示すように、この場合は、第１露光領域２２ａと第２露光領域２２ｂとは、印画紙幅方向（Ｘ方向と垂直な方向）に一列に並んで、かつつながって配置される。かくして、第１画像と第２画像とが印画紙幅方向に一列に並んで、かつつながって印画紙７上に結像されるので、印画紙７の幅が従来と同様であれば、焼付画像の印画紙幅方向の画素密度がほぼ２倍となり、したがって解像度がほぼ２倍に高められる。また、解像度を従来と同様にすれば、およそ２倍の幅の印画紙７に露光処理ないしは焼付処理を施すことができる。
【００３５】
図６（ａ）、（ｂ）に示す露光系において、第１上側ミラー２５ａ及び第２上側ミラー２５ｂを、印画紙広がり面に対して傾斜させず、これと平行となるように配置してもよい。このようにしても、両露光領域２２ａ、２２ｂを互いに印画紙幅方向にずらせることができる。
ただし、この場合は、図７（ｂ）に示すように、両露光領域２２ａ、２２ｂが互いに印画紙幅方向にずれるだけでなく、印画紙搬送方向（Ｘ方向）にも互いにずれることになるので、デジタルマイクロミラー装置１０の両画像表示領域２１ａ、２１ｂの画像データをずらす（同期させる）必要がある。
【００３６】
なお、図６（ａ）、（ｂ）に示す露光系を備えた焼付装置１において、印画紙搬送機構を２つの印画紙７を併行して搬送するようにした上で、両露光領域２２ａ、２２ｂをそれぞれ各別の印画紙７上に設定すれば、２つの印画紙７に同時に併行的に露光処理ないしは焼付処理を施すことができるので、焼付装置１の処理能力がほぼ２倍に高められる。
【００３７】
また、図８（ａ）、（ｂ）に示すように、焼付レンズ１１を透過した後、画像光（画像）が２つに分かれる前に、ハーフミラー２６を用いて画像光（画像）を分けるようにした露光系を用いてもよい。
この場合、第１画像表示領域２１ａから放射（反射）され第１画像を伴っている画像光Ｌ2aは、焼付レンズ１１を経由して画像光Ｌ3aとなる。そして、画像光Ｌ3aの半分は、ハーフミラー２６を透過した後、印画紙広がり面に対して傾斜している反射鏡２７と、印画紙広がり面と平行な第１上側ミラー２５ａとによって反射され、この後印画紙７の露光領域２２ａ1に照射される。また、画像光Ｌ3aの残り半分はハーフミラー２６で反射された後、印画紙広がり面と平行な第２上側ミラー２５ｂによって反射され、この後印画紙７の露光領域２２ａ2に照射される。
【００３８】
他方、第２画像表示領域２１ｂから放射（反射）され第２画像を伴っている画像光Ｌ2bは、焼付レンズ１１を経由して画像光Ｌ3bとなる。そして、画像光Ｌ3bの半分は、ハーフミラー２６を透過した後、反射鏡２７と第１上側ミラー２５ａとによって反射され、この後印画紙７の露光領域２２ｂ1に照射される。また、画像光Ｌ3bの残り半分はハーフミラー２６で反射された後、第２上側ミラー２５ｂによって反射され、この後印画紙７の露光領域２２ｂ2に照射される。
【００３９】
ここで、露光領域２２ａ1と露光領域２２ａ2とは印画紙幅方向に一列に並んでつながって配置され、かつ両露光領域２２ａ1、２２ａ2ではいずれも第１画像（同一の画像）を伴った画像光Ｌ3aが照射される。同様に、露光領域２２ｂ1と露光領域２２ｂ2とも印画紙幅方向に一列に並んでつながって配置され、かつ両露光領域２２ｂ1、２２ｂ2ではいずれも第２画像（同一の画像）を伴った画像光Ｌ3bが照射される。
【００４０】
したがって、この露光系では、このままでは、２つの同一の画像が印画紙幅方向に一列に並んでつながって形成されることになる。ここで、このように同一画像が印画紙幅方向に並んだ焼付画像が必要な場合は、そのまま焼付処理を実施すればよい。
【００４１】
しかしながら、これらの画像のうちのいずれか一方が不要であれば、不要となる画像に対応する露光領域をマスクすればよい。例えば、前記の図７（ｂ）に示すような焼付画像が必要な場合は、図９に示すように、露光領域２２ａ2及び露光領域２２ｂ1をマスクし、露光領域２２ａ1及び露光領域２２ｂ2でのみ露光処理ないしは焼付処理を施せばよい。
【００４２】
なお、図８（ａ）、（ｂ）に示す露光系では、各上側ミラー２５ａ、２５ｂを図６（ａ）、（ｂ）に示すように印画紙広がり面に対して傾斜させると、露光領域２２ａ1、２２ａ2と露光領域２２ｂ1、２２ｂ2とが重なってしまうので、上側ミラー２５ａ、２５ｂを印画紙広がり面に対して傾斜させる場合は、これらの露光領域２２ａ1、２２ａ2、２２ｂ1、２２ｂ2が重ならないように傾斜角を設定する必要がある。
【００４３】
この実施の形態では、画像表示装置としてデジタルマイクロミラー装置１０を用いているが、画像表示装置はデジタルマイクロミラー装置に限られるものではなく、反射型あるいは透過型の各種デジタル式の画像表示装置を用いることができる。例えば、反射型ＬＣＤ、透過型ＬＣＤ、透過型ＰＬＺＴパネル、ＣＲＴ等を用いることができる。これらの画像表示装置を組み合わせて露光処理を施すようにしてもよい。
【００４４】
また、この実施の形態では、ライン露光で露光処理を施すようにしているが、露光方式はライン露光に限られるものではなく、面露光で露光処理を施すようにしてもよい。
【図面の簡単な説明】
【図１】  本発明にかかる焼付装置の概略構成を示す立面図である。
【図２】  （ａ）はデジタルマイクロミラー装置の平面図であり、（ｂ）は（ａ）に示すデジタルマイクロミラー装置を構成するマイクロミラーを拡大して示した平面図であり、（ｃ）はマイクロミラーの立面図である。
【図３】  （ａ）は１つの画像表示領域が設けられたデジタルマイクロミラー装置の平面図であり、（ｂ）は２つの画像表示領域が設けられたデジタルマイクロミラー装置の平面図である。
【図４】  （ａ）は図１に示す焼付装置の１つの露光系の正面図であり、（ｂ）は（ａ）に示す露光系の側面図である。
【図５】  図４に示す露光系の印画紙上での露光領域を示す図である。
【図６】  （ａ）は図１に示す焼付装置のもう１つの露光系の正面図であり、（ｂ）は（ａ）に示す露光系の側面図である。
【図７】  （ａ）、（ｂ）は、それぞれ、図６に示す露光系の印画紙上での露光領域を示す図である。
【図８】  （ａ）は図１に示す焼付装置のさらにもう１つの露光系の正面図であり、（ｂ）は（ａ）に示す露光系の側面図である。
【図９】  図８に示す露光系の印画紙上での露光領域を示す図である。
【符号の説明】
１…焼付装置、２…露光焼付処理部、３…現像処理部、４…乾燥処理部、５…ペーパーマガジン、６…ペーパーローラー、７…印画紙、８…光源ランプ、９…カラーホイル、１０…デジタルマイクロミラー装置、１１…焼付レンズ、１２…現像処理液槽、１３…搬送ローラー、１４…枠部、１５…マイクロミラー部、１６…マイクロミラー、１６ａ…マイクロミラー、１６ｂ…マイクロミラー、１７…ミラープレート、１８…ヨーク、１９…支柱、２０…基板、２１…画像表示領域、２１ａ…第１画像表示領域、２１ｂ…第２画像表示領域、２２ａ…第１露光領域、２２ｂ…第２露光領域、２２ａ1…露光領域、２２ａ2…露光領域、２２ｂ1…露光領域、２２ｂ2…露光領域、２４ａ…第１下側ミラー、２４ｂ…第２下側ミラー、２５ａ…第１上側ミラー、２５ｂ…第２上側ミラー、２６…ハーフミラー、２７…反射鏡。
【図１】
0003641966.tif 000002
【図２】
0003641966.tif 000003
【図３】
0003641966.tif 000004
【図４】
0003641966.tif 000005
【図５】
0003641966.tif 000006
【図６】
0003641966.tif 000007
【図７】
0003641966.tif 000008
【図８】
0003641966.tif 000009
【図９】
0003641966.tif 000010